(57)【要約】 【課題】  ハウジングに対して一括ゴム栓を確実に正規の組み付け状態に保持する。【解決手段】  コネクタは、ハウジング１０と、ハウジング１０のキャビティ１１に対して後方から挿入される端子金具４０と、端子金具４０の後端に接続された電線４３と、ハウジング１０の収容空間１６内に収容されて電線４３を液密状に貫通させる一括ゴム栓２０とを備えている。一括ゴム栓２０は、ハウジング１０の収容空間１６に対し、キャビティ１１に対する端子金具４０の挿入方向と交差する方向に組み付けられるようになっているので、電線４３に後方への引張力が作用しても、一括ゴム栓２０は、ハウジング１０に対して後方へ相対変位することなく、正規の組付状態に保持される。【選択図】  図１
2006190549.tif 000002
【特許請求の範囲】
【請求項１】
キャビティを有するハウジングと、
前記キャビティに対して後方から挿入される複数の端子金具と、
前記端子金具の後端に接続された電線と、
前記電線を液密状に貫通させる複数のシール孔が前記キャビティと対応するように形成され、前記ハウジングの収容空間内に収容された状態で組み付けられる一括ゴム栓とを備えたコネクタにおいて、
前記収容空間が、前記ハウジングの外面において、前記キャビティに対する前記端子金具の挿入方向と交差する方向に組付口として開口された形態とされ、
前記一括ゴム栓が、前記組付口から前記収容空間内に組み付けられていることを特徴とするコネクタ。
【請求項２】
前記一括ゴム栓の前後両端面には、前記複数のシール孔の形成領域を包囲する枠状のリップ部が形成され、
前記リップ部が、前記収容空間の内面に対して液密状に弾性接触されていることを特徴とする請求項１記載のコネクタ。
【発明の詳細な説明】
【技術分野】
【０００１】
本発明は、一括ゴム栓を備えたコネクタに関するものである。
【背景技術】
【０００２】
一括ゴム栓を備えたコネクタとして、ハウジングに設けたキャビティに後方から端子金具を挿入し、ハウジングの後端部に取り付けた一括ゴム栓の各貫通孔に電線を液密状に貫通させることで、キャビティ内への浸水を防止するようにしたものがある。この種のコネクタでは、一括ゴム栓がハウジングに対して後方へ離脱するのを規制する手段としてホルダが取り付けられ、ホルダには端子金具と電線を通過させるための窓孔が各キャビティに対応するように貫通されている。尚、一括ゴム栓を備えたコネクタとしては、特許文献１に開示されているもの等がある。
【特許文献１】特開平５−２６６９４１号公報
【発明の開示】
【発明が解決しようとする課題】
【０００３】
従来のコネクタでは、ハウジングに対して一括ゴム栓が後方から組みつけられるとともに、同じく後方からホルダが組み付けられている。そのため、電線に後方への引張力が作用したときに、ホルダがハウジングから外れたり、不正な組み付け状態となる虞がある。このようになると、一括ゴム栓がハウジングに対して正規の組み付け位置に保持されなくなり、シール性能が低下することが懸念される。  
本発明は上記のような事情に基づいて完成されたものであって、ハウジングに対して一括ゴム栓を確実に正規の組み付け状態に保持できるようにすることを目的とする。
【課題を解決するための手段】
【０００４】
上記の目的を達成するための手段として、請求項１の発明は、キャビティを有するハウジングと、前記キャビティに対して後方から挿入される複数の端子金具と、前記端子金具の後端に接続された電線と、前記電線を液密状に貫通させる複数のシール孔が前記キャビティと対応するように形成され、前記ハウジングの収容空間内に収容された状態で組み付けられる一括ゴム栓とを備えたコネクタにおいて、前記収容空間が、前記ハウジングの外面において、前記キャビティに対する前記端子金具の挿入方向と交差する方向に組付口として開口された形態とされ、前記一括ゴム栓が、前記組付口から前記収容空間内に組み付けられているところに特徴を有する。
【０００５】
請求項２の発明は、請求項１に記載のものにおいて、前記一括ゴム栓の前後両端面には、前記複数のシール孔の形成領域を包囲する枠状のリップ部が形成され、前記リップ部が、前記収容空間の内面に対して液密状に弾性接触されているところに特徴を有する。
【発明の効果】
【０００６】
＜請求項１の発明＞
一括ゴム栓は、ハウジングの収容空間に対し、キャビティに対する端子金具の挿入方向と交差する方向に組み付けられるようになっているので、電線に後方への引張力が作用しても、一括ゴム栓は、ハウジングに対して後方へ相対変位することなく、正規の組付状態に保持される。
【０００７】
＜請求項２の発明＞
一括ゴム栓の外周の一部は組付口に対応しているため、一括ゴム栓の外周面においては、一括ゴム栓の外面と収容空間の内面との間のシールを行うことができないのであるが、一括ゴム栓の前後両端面にリップ部を形成したので、一括ゴム栓の端面において収容空間との間をシールすることができる。
【発明を実施するための最良の形態】
【０００８】
＜実施形態１＞
以下、本発明を具体化した実施形態１を図１乃至図８を参照して説明する。本実施形態のコネクタは、ハウジング１０と端子金具４０と一括ゴム栓２０とを備えて構成されている。  
ハウジング１０は、合成樹脂製であり、方形ブロック状をなす端子収容部１１と、端子収容部１１の後端に連なる支持部１３とを一体形成した形態となっている。端子収容部１１内には、前後方向に細長い複数のキャビティ１４が縦横（上下左右）に整列して形成されており、各キャビティ１４内には後方から端子金具４０が個別に挿入されるようになっている。各キャビティ１４には、その内壁に沿って前方へ片持ち状に延出する形態のランス１５が形成されている。
【０００９】
支持部１３は、端子収容部１１よりも一回り大きい方形のブロック状をなしており、支持部１３内には、全てのキャビティ１４の後端の開口部に連通する略方形の収容空間１６が構成されている。収容空間１６は、キャビティ１４に挿入される端子金具４０とその端子金具４０に接続された電線４３を貫通させるとともに、一括ゴム栓２０を収容するための空間である。支持部１３の後面壁には、収容空間１６を支持部１３の後端面に開口させるために前後方向に貫通する複数の端子挿入口１２が、各キャビティ１４と対応する配置で形成されている。収容空間１６の内面には、その上下両面及び左右両面を凹ませた形態の保持溝１７が形成されている。また、左右両保持溝１７の下端部には一対の抜止め凹部１８が形成されている。尚、抜止め凹部１８は、金型成型上の理由から、支持部１３の左右両外側面に開口されている。
【００１０】
支持部１３の下面には、収容空間１６（保持溝１７を含む）がその全幅領域に亘って横長に開口されており、この開口部は、下面側の保持溝１７に連通し、一括ゴム栓２０を収容空間１６に挿入するための組付口１９となっている。この収容空間１６に対する一括ゴム栓２０の挿入方向（組付方向）は、キャビティ１４に対する端子金具４０の挿入方向と略直交する方向となっている。
【００１１】
一括ゴム栓２０は、全体として方形のブロック状をなす。この一括ゴム栓２０には、前後方向（キャビティ１４に対する端子金具４０の挿入方向と平行）に貫通する複数の円形のシール孔２１が、各キャビティ１４と対応して形成されている。また、一括ゴム栓２０の前後両端面には、その両端面における全てのシール孔２１の開口領域を包囲する形態の略方形枠状をなすリップ部２２が突出形成されている。
【００１２】
キャップ３０は、合成樹脂製であり、ハウジング１０に対し支持部１３の組付口１９を塞ぐように組み付けられるようになっている。キャップ３０の左右両端部には、係止突起３１が形成されている。
【００１３】
端子金具４０は、前後方向に細長く、略前半部分が角筒部４１とされ、略後半部分が電線接続部４２とされており、電線接続部４２には円形断面の電線４３が圧着により接続されている。かかる端子金具４０は、ハウジング１０の後方から収容空間１６内に収容されている一括ゴム栓２０のシール孔２１を通過してキャビティ１４内に挿入される。正規位置まで挿入された端子金具４０は、角筒部４１をキャビティ１４のランス１５に係止させることで抜止めされるようになっている。
【００１４】
次に、本実施形態の作用を説明する。  
端子金具４０をハウジング１０に取り付ける際には、まず、キャップ３０を組付口１９から外した状態で、一括ゴム栓２０を下方から収容空間１６内に収容するように組み付ける。収容空間１６内に収容された一括ゴム栓２０は、その上下左右の各縁部を収容空間１６の保持溝１７に嵌合させることにより、ハウジング１０に対して前後方向（キャビティ１４に対する端子金具４０の挿入方向と平行な方向）への相対変位を規制されるとともに、上面及び左右両側面を保持溝１７の溝底面に当接させることにより、ハウジング１０に対して上方及び左右両側方（キャビティ１４に対する端子金具４０の挿入方向と交差する方向）への相対変位を規制される。
【００１５】
次に、組付口１９にキャップ３０を嵌め込み、係止突起３１を抜止め凹部１８に嵌合させる。この係止突起３１と抜止め凹部１８との係止により、キャップ３０が組付口１９を塞ぐ状態に固定される。一括ゴム栓２０は、その下面をキャップ３０の上面（内面）に当接させることにより、ハウジング１０に対する下方（キャビティ１４に対する端子金具４０の挿入方向と交差する方向）への相対変位（即ち、収容空間１６外へ離脱すること）が規制される。以上により、一括ゴム栓２０は、収容空間１６内において所定の位置に遊動規制された状態に保持される。
【００１６】
この状態では、各シール孔２１が各キャビティ１４に対して後方位置において対応するように配置されている。また、一括ゴム栓２０の前後両端面のリップ部２２が、保持溝１７の前面と後面に対して弾性的に潰れ変形しつつ密着し、このリップ部２２により、一括ゴム栓２０の前後両端面と保持溝１７の前後両面との間が液密状にシールされる。そして、このシール領域の内側に、全てのシール孔２１と全てのキャビティ１４の後端の開口が存在する。これにより、収容空間１６の後端の開口や組付口１９とキャップ３０との隙間から保持溝１７内に液体が浸入しても、リップ部２２においてそれ以上の浸入が規制される。つまり、外部から液体が、シール孔２１の開口領域やキャビティ１４の後端の開口部に浸入することがリップ部２２により規制されている。
【００１７】
この後、各端子金具４０を、後方から支持部１３の端子挿入口１２に差し込み、シール孔２１を弾性的に拡開させつつ通過させてキャビティ１４内に挿入する。正規挿入された端子金具４０は、ランス１５により抜止めされる。端子金具４０が正規挿入された状態では、シール孔２１の内周が電線４３の外周に対して弾性的に当接することにより、電線４３の外周とシール孔２１の内周との隙間がシールされる。また、電線４３におけるシール孔２１よりも後方の領域は、支持部１３の後端端面から後方へ導出される。
【００１８】
上述のように本実施形態のコネクタは、キャビティ１４を有するハウジング１０と、キャビティ１４に対して後方から挿入される複数の端子金具４０と、端子金具４０の後端に接続された電線４３と、電線４３を液密状に貫通させる複数のシール孔２１がキャビティ１４と対応するように形成され、ハウジング１０の収容空間１６内に収容された状態で組み付けられる一括ゴム栓２０とを備えたものであって、収容空間１６が、ハウジング１０の外面において、キャビティ１４に対する端子金具４０の挿入方向と交差する方向に組付口１９として開口された形態とされ、一括ゴム栓２０が、組付口１９から収容空間１６内に組み付けられているところに特徴を有する。このように、一括ゴム栓２０は、ハウジング１０の収容空間１６に対し、キャビティ１４に対する端子金具４０の挿入方向と交差する方向に組み付けられるようになっているので、電線４３に後方への引張力が作用しても、一括ゴム栓２０は、ハウジング１０に対して後方へ相対変位することなく、正規の組付状態に保持される。
【００１９】
また、一括ゴム栓２０の外周の一部は組付口１９に対応しているため、一括ゴム栓２０の外周面においては、一括ゴム栓２０の外面と収容空間１６の内面との間のシールを行うことができないのであるが、本実施形態では、一括ゴム栓２０の前後両端面に、複数のシール孔２１の形成領域を包囲する枠状のリップ部２２を形成したので、一括ゴム栓２０の端面において収容空間１６との間をシールすることができる。
【００２０】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。  
（１）上記実施形態では端子金具が雌形のものである場合について説明したが、本発明は、端子金具が雄形のものである場合にも適用できる。  
（２）上記実施形態ではリップ部を一括ゴム栓の前後両端面に形成したが、本発明によれば、リップ部は一括ゴム栓の前端面と後端面のうちいずれか一方の端面にみに形成してもよい。
【図面の簡単な説明】
【００２１】
【図１】実施形態１の縦断面図
【図２】ハウジングに端子金具を挿入する前の状態をあらわす断面図
【図３】ハウジングのみの縦断面図
【図４】ハウジングの底面図
【図５】ハウジングの背面図
【図６】一括ゴム栓とキャップの背面図
【図７】一括ゴム栓の縦断面図
【図８】図２のＡ−Ａ断面図
【符号の説明】
【００２２】
１０…ハウジング
１１…キャビティ
１６…収容空間
１９…組付口
２０…一括ゴム栓
２１…シール孔
２２…リップ部
４０…端子金具
４３…電線
【図１】
2006190549.tif 000003
【図２】
2006190549.tif 000004
【図３】
2006190549.tif 000005
【図４】
2006190549.tif 000006
【図５】
2006190549.tif 000007
【図６】
2006190549.tif 000008
【図７】
2006190549.tif 000009
【図８】
2006190549.tif 000010